(57)【要約】【課題】本発明は、多様な形状、サイズの窓部を有するフレームごとに最適な被展示物裁断用の型枠を提供すること、加えて、裁断用の型枠が必要となった時に型枠を紛失していることを防ぐことを目的とする。【解決手段】本発明は、表板１と裏板２の間に紙状の被展示物５１を収納するフレームであって、該表板１は前記被展示物５１が収納された状態で該被展示物５１が閲覧者から見えるための窓部１１を有するフレームと、前記被展示物５１と共に前記表板１と前記裏板２の間に収納する板状のスペーサー３であって、前記窓部１１の形状およびサイズと所定の関係を持つ被展示物裁断用の型枠３１を有するスペーサーと、を備えることを特徴とする。【選択図】図１
2007202894.tif 000002
【特許請求の範囲】
【請求項１】
表板と裏板の間に紙状の被展示物を収納するフレームであって、該表板は前記被展示物が収納された状態で該被展示物が閲覧者から見えるための窓部を有するフレームと、
前記被展示物と共に前記表板と前記裏板の間に収納する板状のスペーサーであって、前記窓部の形状およびサイズと所定の関係を持つ被展示物裁断用の型枠を有するスペーサーと、を備えることを特徴とする展示用収納物。
【請求項２】
前記被展示物裁断用の型枠は、前記スペーサーを前記フレームに収納した状態で、前記フレームにおける前記窓部の位置と対応する位置に有ることを特徴とする請求項１に記載の展示用収納物。
【請求項３】
前記フレームに収納した状態で、前記フレームにおける前記窓部の位置と対応する位置に前記被展示物を貼り付けるための接着部を有し、前記被展示物を収納する際に、前記被展示物を貼り付けて前記フレームに収納する台紙を更に備えることを特徴とする請求項１又は請求項２に記載の展示用収納物。
【発明の詳細な説明】
【技術分野】
【０００１】
本発明は、紙状の被展示物を収納する展示用収納物に関する。
【背景技術】
【０００２】
紙状の被展示物を収納する展示用収納物としては、定型の写真サイズの接着面を設け、又は使用者が自ら写真サイズの切込みを入れて接着面を露出させて写真を接着固定するアルバムがある（特許文献１を参照）。
【０００３】
また、紙状の被展示物を定型以外の形状に裁断するための器具として、写真にあててペン等で輪郭を型取りし、型取りした線に沿って写真をハサミやカッターナイフ等で裁断するためのフォトカットテンプレートがある（非特許文献１を参照）。
【特許文献１】特開平１１-３０１１５７号公報
【特許文献２】特許３６７６２９３号
【非特許文献１】「’０３−’０４ナカバヤシ総合カタログ」ナカバヤシ株式会社、２００３年１月発行、ｐ．６６
【発明の開示】
【発明が解決しようとする課題】
【０００４】
紙状の被展示物の定型以外の形状の窓部を有するフレームに被展示物を収納するために、被展示物の窓部から見せたい部分を適当な大きさに裁断しても、窓部の形状、サイズと合わずに窓部から台紙が見えてしまい、見栄えのよい展示とならないことがあった。
【０００５】
形状、サイズを合わせることが出来たとしても、被展示物を窓部と対応する台紙上の正しい位置に貼り付けるのは困難で、いったん貼り付けてから収納し、位置のずれを確認してから再度取り出して貼り付け位置を修正する作業を繰り返す必要があるなど、見栄えよく窓部内に被展示物を固定、収納するのは困難であった。
【０００６】
また、従来の裁断用の型枠は、紙状の被展示物を様々な形状に裁断するためのガイドとなるものではあるが、展示用収納物の有する窓部の形状、サイズに必ずしも対応していないため、窓部の形状に合わせて被展示物を裁断する際には使用できず、結局、目測で被展示物を裁断せざるを得なかった。
【０００７】
本発明は、上記した問題に鑑み、多様な形状、サイズの窓部を有するフレームごとに最適な被展示物裁断用の型枠を提供すること、加えて、裁断用の型枠が必要となった時に型枠を紛失していることを防ぐことを目的とする。
【課題を解決するための手段】
【０００８】
本発明は、上記した課題を解決するために、フレームが有する窓部の形状、サイズに対応する型枠の機能をスペーサーに兼ねさせることで、裁断時には型枠として使用して仕上がりを確認しながら容易かつ正確に被展示物を裁断し、収納時にはスペーサーとして使用して被展示物をフレーム内にしっかりと収納できるようにした。
【０００９】
詳細には、本発明は、表板と裏板の間に紙状の被展示物を収納するフレームであって、該表板は前記被展示物が収納された状態で該被展示物が閲覧者から見えるための窓部を有するフレームと、前記被展示物と共に前記表板と前記裏板の間に収納する板状のスペーサーであって、前記窓部の形状およびサイズと所定の関係を持つ被展示物裁断用の型枠を有するスペーサーと、を備えることを特徴とする展示用収納物である。
【００１０】
スペーサーは、被展示物を裁断する際のガイドとなる型枠を備える。この型枠は、窓部の形状およびサイズと以下の所定の関係を持つ。型枠は通常、フレーム表板の窓部と相似の形状で、窓部と同サイズか、窓部より大きいサイズを有する。即ち、この型枠に沿って裁断した被展示物をフレーム内の窓部の位置に収納したときに、被展示物の裁断された縁が、閲覧者から窓部を通して見えない形状、サイズであればよい。
【００１１】
裁断用の型枠が上記の形状、サイズに形成されていることにより、多様な形状、サイズの窓部を有するフレームごとに最適な被展示物裁断用の型枠が提供され、被展示物をフレームに収納する際に、フレームの窓部から閲覧者に見せたい部分を、仕上がりを確認しながら正確なサイズに容易に裁断することが可能となる。
【００１２】
また、スペーサーは、フレームに被展示物と共に収納することで、表板、裏板と被展示物の間に生じる隙間を埋め、被展示物を収納した状態から動かないよう固定することを補助するものであるため、被展示物をフレームに収納した状態で同時に収納される。これにより、フレーム内の隙間を埋めるスペーサーの従来の機能を果たすと共に、裁断用の型枠が必要となった時に紛失していることを防ぐ効果が得られる。
【００１３】
本発明は、前記被展示物裁断用の型枠が、前記スペーサーを前記フレームに収納した状態で前記フレームにおける前記窓部の位置と対応する位置に有るように形成されていてもよい。
【００１４】
フレームにおける窓部の位置と対応する位置に型枠が形成されていることで、通常は被展示物の裏に重ねて裏板側に収納するスペーサーを、表板側に収納し、スペーサーに設けられた型枠の枠内であって表板と裏板の間に生じた空間に被展示物を配置し、窓部から見える位置に被展示物を収納することが可能になる。
【００１５】
また、フレームにおける窓部の位置と対応する位置に型枠が形成されていることで、フレームが複数の窓部を有する場合には、裁断前の単一の被展示物上の位置関係を崩さずに、単一の被展示物から複数の窓部用の被展示物を取得することが可能となる。加えて、フレーム上に似たような形状、サイズの窓部が有る場合に、対応する型枠がいずれであるかを容易に特定することが可能となる。
【００１６】
本発明は、前記フレームに収納した状態で前記フレームにおける前記窓部の位置と対応する位置に前記被展示物を貼り付けるための接着部を有し、前記被展示物を収納する際に、前記被展示物を貼り付けて前記フレームに収納する台紙を更に備えてもよい。
【００１７】
台紙上の、フレームにおける窓部の位置と対応する位置に接着部を有するため、被展示物を台紙に貼り付けて収納することで、被展示物はフレームにおける窓部の正確な位置に容易に収納される。
【００１８】
また、接着部には通常、接着部を使用する時点で剥離する紙片等が予め貼り付けられているが、この紙片に写真やイラスト等を印刷することで、販売時における商品の外観を見栄えのよいものにするためのフェイスペーパーの機能を台紙に兼ねさせてもよい。
【発明の効果】
【００１９】
本発明によって、多様な形状、サイズの窓部を有するフレームごとに最適な被展示物裁断用の型枠を提供すること、加えて、裁断用の型枠が必要となった時に型枠を紛失していることを防ぐ効果が得られる。
【発明を実施するための最良の形態】
【００２０】
本願発明を写真立てとして実施した場合について、図面に基づいて説明する。
【実施例】
【００２１】
図１は、本発明に係る展示用収納物の概略構成を表す図である。表板１には窓部１１が設けられている。窓部１１は単に表板１に開けられた穴でもよいし、ガラス等の透明な部品で構成されていてもよい。本実施例は写真立てであるため、裏板２には展示用収納物が自立するための足が備えられているが、壁掛け式など種々の展示方法に応じた構成であればよい。
【００２２】
スペーサー３には窓部１１に対応した専用の型枠３１が設けられている。本実施例では、型枠の形状は対応する窓部の形状と相似であり、サイズは窓部と比べて型枠のほうが外側に２ｍｍ広く作られている。また、本実施例では、型枠３１は対応する窓部のフレーム上の位置と対応する位置に設けられている。
【００２３】
図２は、被展示物の裁断方法を示している。被展示物５にスペーサー３を重ねて、型枠３１から被展示物５上の展示したい部分を探し、展示部分が決定したらペン等で型枠３１の枠内に沿って被展示物上に切り取り線を描く。その後、スペーサーを被展示物の上から除いて、切り取り線に沿ってハサミやカッターナイフ等で被展示物を裁断する。切り取り線を描かずに、型枠３１の枠内に沿ってカッターナイフなどで裁断することもできる。
【００２４】
台紙４は、フレームにおける窓部１１の位置に対応した位置に接着部４１を有する。接着部４１には接着剤が塗布してあり、予め紙片４２が貼り付けてある。被展示物５１を貼り付けたい位置の紙片４２を剥離して接着部４１を露出させ、被展示物５１を貼り付ける。
【００２５】
その後、被展示物５１を貼り付けた台紙４の裏にスペーサー３を重ねて、表板１と裏板２からなるフレームの間に収納する。
【００２６】
被展示物５１を貼り付けた接着部４１は窓部１１に対応した位置に設けられており、さらに、裁断に利用した型枠３１は窓部１１の形状、サイズを考慮した形状、サイズに成型されているため、被展示物５１をフレームに収納した状態で、被展示物５１は窓部１１の正確な位置に固定されている。
【００２７】
また、裁断した被展示物５１は、図３に示すようにスペーサーの枠内に落とし込んでフレームに収納してもよいし、その他接着部を有さない台紙に貼り付けて収納してもよい。
【図面の簡単な説明】
【００２８】
【図１】本発明の実施例に係る展示用収納物の概略構成を表す図である。
【図２】本発明の実施例に係る被展示物の裁断方法を表す図である。
【図３】本発明の実施例に係る展示用収納物への被展示物の収納方法を表す図である。
【符号の説明】
【００２９】
１  表板
１１  窓部
２  裏板
３  スペーサー
３１  型枠
４  台紙
４１  接着部
４２  紙片
５  被展示物
５１  被展示物
【図１】
2007202894.tif 000003
【図２】
2007202894.tif 000004
【図３】
2007202894.tif 000005